(57)【特許請求の範囲】
【請求項１】
第１移動端末、複数の基地局を具備する通信網、前記通信網に接続されたサービスプロバイダ・システム、及び、第２移動端末を備える移動通信システムであって、
前記第１移動端末は、前記複数の基地局から受信する基地局データ、及び前記第１移動端末の識別データを取得し、前記基地局データ及び前記第１移動端末の識別データを前記サービスプロバイダ・システムへ送信し、
前記サービスプロバイダ・システムは、前記基地局データに基づいて前記第１移動端末の位置情報を算出して記憶し、
前記第２移動端末は、前記第１移動端末の位置情報を確認するための第１の電子メールを前記サービスプロバイダ・システムに送信し、
前記サービスプロバイダ・システムは、前記第１の電子メールの受信に応じて前記第１移動端末に前記基地局データを送信するよう要求する第２の電子メールを送信し、
前記第１移動端末は、前記第２の電子メールの受信に応じて、前記サービスプロバイダ・システムに前記第２移動端末宛として前記第１移動端末の最新の基地局データに基づいた位置情報を第３の電子メールとして通知することを特徴とする移動通信システム。
【請求項２】
前記第１移動端末は、所定のスイッチの操作に応じて、所定のスイッチが操作されたことを示すデータ、前記基地局データ、及び第１移動端末の識別データを含むデータを前記サービスプロバイダ・システムに送信し、
前記サービスプロバイダ・システムは、前記第１移動端末からの所定のスイッチが操作されたことを示すデータ、前記基地局データ、及び第１移動端末の識別データを含むデータを解析し、第１移動端末の位置情報を前記第２移動端末に通知することを特徴とする請求項１に記載の移動通信システム。
【請求項３】
前記第１移動端末は、ブザーと、LEDと、これらブザー及びLEDの動作を制御する制御部とを有し、前記第２の電子メールを受信すると前記制御部は前記ブザーを鳴動させるとともに前記LEDを所定の色で点灯又は点滅させることを特徴とする請求項１に記載の移動通信システム。
【請求項４】
前記制御部は、所定のスイッチの操作により、前記ブザーの鳴動の停止と前記LEDの消灯を行うことを特徴とする請求項３に記載の移動通信端末。
【発明の詳細な説明】
【技術分野】
【０００１】
本発明は移動通信システム及び移動通信方法に関し、詳細には、端末所有者が出発地点から目標地点まで無事に向かっているか否か、目標地点に無事到着したか否かを随時確認して保護者に通知しうる移動通信システム及びそのような通信方法に関する。
【背景技術】
【０００２】
従来より、個々の移動通信端末の位置を監視して、当該位置情報を用いて顧客に対して種々のサービスを提供する移動通信システムが提案されている。例えば、基地局ごとのゾーンを単位とした位置情報を登録する機能を有し、端末を携帯する人あるいは端末を取りつけた物が現在どの基地局との交信ゾーンにあるかを記憶し、通常の状態と異なるときに警報を発するシステム（特許文献１）、ユーザー自身が緊急通報操作できない場合でも救急監視センターに緊急通報を行い、ユーザーに対する救助活動を実行させ得る緊急通報システム（特許文献２）、移動通信端末が特定エリアの外側から特定エリアの内側に移動したか、あるいはその逆かを容易に判断できる移動通信システム（特許文献３）、監視対象者が予定外の行動をとった時にのみ自動的に監視者に通報し、監視制御を継続することができる位置情報配信システム（特許文献４）などが提案されている。
【０００３】
一方、近年、登下校や塾の行き帰りの際などに子供を狙った犯罪が発生しており、このような犯罪を未然に防ぐとともに、犯罪発生時の迅速な対応を可能にする技術が求められている。既に提案されている、位置情報を使用する上記のような各システムは、基本的に、端末使用者に何らの問題が発生した場合にそれを検知して監視者等に通知するものである。例えば、端末の位置が通常予定される範囲にないこと、端末使用者が転倒するなど何らかの異常事態が生じたこと、あるいは端末が特定エリア内に存在するか否か、などについての情報が通知される。
【特許文献１】特開平８−２２３６３７号公報
【特許文献２】特開２０００−１０６６０８号公報
【特許文献３】特開２０００−１０６６８９号公報
【特許文献４】特開２００２−１０１４４２号公報
【発明の開示】
【発明が解決しようとする課題】
【０００４】
しかしながら、上述のような従来技術は、子供を狙った犯罪行為の防止及び当該行為への迅速な対応の観点から見た場合、部分的には有用であるものの、十分な解決手段を提供するものではない。例えば、見守り対象者（例えば、子供）が出発地（例えば、家もしくは学校）から目的地（例えば、学校もしくは家）に無事に辿り着けたことを見守る側（例えば、保護者）が完全に確認することを可能とする機能が提供されない。したがって、従来技術は、例えば下校の際に子供が学校を出てから自宅に到着するまでの全過程を通じて保護者が子供を遠隔的に見守ることを可能にするものではない。また、子供が使用することを考慮すると、見守り対象者に持たせる端末は、操作方法ができるだけ単純なものであることが好ましい。さらに、通常の移動端末のような形状を有するのではなく、好ましくは犯罪の抑止にも繋がるような外観を有するものであることがより望ましい。
【課題を解決するための手段】
【０００５】
本発明は、見守り対象者が出発地を無事に出発したこと、及び目的地に無事に到着したことを保護者に通知し、さらにその過程における当該見守り対象者の位置に関する情報をこまめに取得・記録して、各時点における見守り対象者の位置を保護者が地図データとして確認することを可能とする移動通信システムを提供する。さらに、本発明の移動通信システムは、見守り対象者が移動端末を使用して保護者に対し自ら緊急通報を行うことを可能とする。また、本発明のシステムにおいて見守り対象者が使用する端末は、子供でも容易に操作できるよう、極めて簡易な構成を有するとともに、犯罪に対する抑止効となるよう、外部から目立ちやすい大きさ、形状を有している。
【０００６】
より具体的には、本発明の一つの実施例の移動通信システムは、第１の移動端末と、複数の基地局を具備する第１の通信網と、第１の通信網に接続されたサービスプロバイダ・システムと、サービスプロバイダ・システムに接続された第２の通信網とからなる。第１の移動端末は第１のスイッチを具備し、サービスプロバイダ・システムは、第１の移動端末のユーザに関連する保護者の電子メールアドレスを記憶している。第１の移動端末は、常時待ち受け状態にあり、複数の基地局から受信される信号から、基地局識別データ及び受信電界強度データを含む基地局データを保持・更新している。第１の移動端末のユーザが出発するとき、第１のスイッチを操作すると、第１の移動端末は第１のスイッチが操作されたことと、基地局データと、第１の移動端末の識別データとを示す信号を最寄りの基地局に無線送信する。無線送信された信号は、第１の通信網を介してサービスプロバイダ・システムにより受信される。サービスプロバイダ・システムは、受信された信号中の基地局データに基づいて第１の移動端末の位置データを算出し、当該位置データを受信した時刻を示す時刻データ及び移動端末の識別データと関連付けて記憶する。さらに、サービスプロバイダ・システムは、保護者の電子メールアドレスに対し、ユーザが出発したことと、算出された位置データと、時刻データとを示す電子メールを送信する。
【０００７】
第１のスイッチが再び操作されるまでの間、第１の移動端末は、所定の時間間隔で、複数の基地局から受信される信号に基づいて基地局データを取得し、第２の所定の時間間隔で、基地局データをサービスプロバイダ・システムに送信する。また、第１のスイッチが再び操作されるまでの間、サービスプロバイダ・システムは、第２の所定の時間間隔で受信された基地局データに基づいて、第１の移動端末の位置データを算出し、当該位置データをその都度記憶する。さらに、第１の移動端末からの前記第２の所定の時間間隔での基地局データの受信が第３の所定の時間途絶えた場合、サービスプロバイダ・システムは、保護者の電子メールアドレスへ、第１の移動端末からの受信が途絶えていることと、第１の移動端末に関する最新の位置データとを示す電子メールを送信し、第１の移動端末からの基地局データの受信が再開された場合に、保護者の電子メールアドレスへ、第１の移動端末からの受信が再開されたことと、第１の移動端末に関する最新の位置データとを示す電子メールを送信する。
【０００８】
第１のスイッチが再度操作されると、第１の移動端末は、複数の基地局から受信される信号から基地局データを得て、ユーザが目的地に到着したことと、基地局データと、第１の移動端末の識別データとを示す信号を無線送信する。無線送信された信号は第１の通信網を介してサービスプロバイダ・システムにより受信される。サービスプロバイダ・システムは、受信された信号中の基地局データに基づいて、第１の移動端末の位置データを算出し、当該位置データを、当該位置データを受信した時刻を示す時刻データ及び前記移動端末の識別データと関連付けて記憶する。さらに、保護者の電子メールアドレスに対し、ユーザが到着したことと、位置データと、時刻データとを示す電子メールを送信する。
【０００９】
本発明の移動通信システムの他の実施例において、サービスプロバイダ・システムは、ユーザの位置の確認を要求する電子メールを保護者の電子メールアドレスから受信すると、これに応答して、サービスプロバイダが記憶している第１の移動端末に関する最新の位置データ及びこれに関連する時刻データを示す電子メールを、保護者の電子メールアドレスに送信する。また、サービスプロバイダ・システムはユーザが前記第１のスイッチを操作して出発してから、所定の時間間隔で取得され、第２の所定の時間間隔で送信されてきた基地局データから算出された複数の位置データとその受信時刻を地図上にプロットして移動軌跡を表示する画面を用意し、当該画面へ誘導するURL情報を当該電子メールに付加することにより、保護者はより詳細な子供の移動状況をブラウザで確認することができる。
【００１０】
本発明の移動通信システムの他の実施例においては、第１の移動端末はブザー及び発光素子をさらに具備している。サービスプロバイダ・システムは、ユーザからの応答を要求する電子メールを保護者の電子メールアドレスから受信したことに応答して、保護者がユーザの応答を要求していることを示す電子メールを第１の移動端末に送信する。第１の移動端末は、そのような電子メールの受信に応答してブザーを鳴動させるとともに発光素子を発光させることにより、保護者がユーザの応答を要求していることをユーザに通知する。さらに、第１の移動端末は、第１のスイッチが操作されたことに応答して、複数の基地局から受信される信号から基地局データを取得し、ユーザが応答したことと、基地局データと、第１の移動端末の識別データとを示す信号をサービスプロバイダ・システムに送信する。サービスプロバイダ・システムは、受信した信号中の基地局データに基づいて、第１の移動端末の位置データを算出し、保護者の電子メールアドレスに対し、前記ユーザが応答したことと、位置データと、当該位置データを受信した時刻を示す時刻データとを含む電子メールを送信する。
【００１１】
本発明の移動通信システムの他の実施例においては、第１の移動端末はブザー及び第２のスイッチをさらに具備している。第１の移動端末は、第２のスイッチが操作されたことに応答してブザーを鳴動させ、また、複数の基地局から受信される信号から基地局データを得て、緊急事態が発生したことと、基地局データと、第１の移動端末の識別データとを示す信号を第１の通信網を介してサービスプロバイダ・システムに送信する。サービスプロバイダ・システムは、受信した信号中の基地局データに基づいて第１の移動端末の位置データを算出し、保護者の電子メールアドレスに対し、緊急事態が発生したことと、算出された位置データと、当該位置データを受信した時刻を示す時刻データとを含む電子メールを、保護者の電子メールアドレスから緊急事態が生じたことを示す電子メールの送信の解除を要求する電子メールが受信されるまでの間、所定の時間間隔で繰り返し送信する。
【００１２】
保護者の電子メールアドレスから、緊急事態が発生したことを示す電子メールの送信の解除を要求する電子メールが受信されると、サービスプロバイダ・システムはこれに応答して、緊急事態が発生したことを通知する電子メールを所定の時間間隔で繰り返し送信することを停止する。
【発明の効果】
【００１３】
本発明によれば、見守り対象者が出発地を無事出発したこと及び目的地に無事到着したことを保護者に自動的に通知することができる。また、本発明のシステムは、出発地から目的地までの全過程における見守り対象者の位置情報を把握しているため、保護者は、必要に応じて見守り対象者の現在位置や過去の行動履歴を知ることができる。さらに、見守り対象者が緊急事態に巻き込まれた場合においても、そのことを保護者に自動的に迅速に通知することができる。
【実施例】
【００１４】
以下、本発明による見守りシステムの実施例につき、図面を参照して具体的に説明する。
【００１５】
本発明の見守り機能を有する移動通信システムの構成の一実施例を図１に示す。図１のシステムの主要部は特にＰＨＳデータ通信システムとして示されており、見守り対象者に持たせる移動端末１００と、本発明の種々の見守り機能を提供するサービスプロバイダ・システム２００と、ＰＨＳ通信網３００と、インターネット等の通信網４００と、保護者の使用する移動端末５００及びＰＣ６００とからなる。
【００１６】
移動端末１００は、ＬＥＤ等の発光素子１０１、少なくとも２つのスイッチ１０２及び１０７、ＰＨＳ送受信部１０３、タイマ１０４、制御部１０５、データ送受信部１０６、及びブザー１０８からなる。また、サービスプロバイダシステム２００は、位置計算サーバ２０１、顧客データベース２０２、位置情報蓄積データベース２０３、地図データベース２０４、ウェブサーバ２０５、ゲートウェイ・ルータ２０６、通信制御サーバ２０７、データ解析サーバ２０８、メールサーバ２０９、ショートメッセージ・サーバ（ＳＭＳサーバ）２１０及びゲートウェイ・ルータ２１１からなる。保護者の使用する移動端末５００及びＰＣ６００は通常市販されているものでよい。
【００１７】
図１に示す本発明のシステムは、１．見守り対象者（移動端末１００の使用者）が出発地を出て目的地へ到達するまでの間、見守り対象者に関する位置情報を一定時間間隔で取得し蓄積するとともに、異常を検知した場合にその旨を保護者に通知する機能、２．任意の時点で保護者からの要求に応じて見守り対象者についての位置情報及び行動履歴を保護者に通知する機能、３．保護者からの要求に応じて、見守り対象者に対して、保護者が見守り対象者を捜していることを通知する機能、及び４．見守り対象者が不審者に襲われそうになっている場合などの緊急事態において、見守り対象者がその旨を保護者に通知することを可能とする機能、を有している。以下において本発明のシステムの動作例につき説明するが、ここでは移動端末１００の使用者を学校から家に下校する子供と仮定し、移動端末５００及びＰＣ６００の使用者をその子供の保護者（例えば、親）と仮定している。しかしながら、本発明の実施態様はこのような場合に限られるものではない。
【００１８】
上記機能１につき説明する。移動端末１００を携帯している子供は、下校のため学校を出発する際、移動端末１００に備えられたスイッチ１０２を一定時間（例えば、約２秒間）押す。本実施例において、移動端末１００は、スイッチ１０２が押されると否とに関わらず、常に電源が投入された状態となるよう構成されるが、スイッチ１０２又はこれ以外の図示しないスイッチの操作を契機に電源が投入される構成であってもよい。また、移動端末１００は、電源がＯＮの間は待ち受け状態にあり、移動端末１００の周辺に存在する複数の基地局から送信される電波を受信して、必要に応じて、それぞれの基地局の識別データ及びそれぞれの基地局からの電波の電界強度についてのデータを取得して、これらのデータを、例えば制御部１０５に格納するように構成される。制御部は、タイマ１０４を使用して、このような周辺基地局サーチを所定の時間間隔（例えば、５分）で実行することができる。
【００１９】
機能１及び２についてのシーケンス図を図２に示す。移動端末１００は、待ち受け状態において周辺基地局のサーチを行い、それぞれの基地局の識別データ及び対応する報知チャネルの電界強度データを取得する（７０１）制御部１０５は、スイッチ１０２が一定時間（約２秒間）押されたことを検出すると、ブザー１０８に制御信号を送信してこれを鳴動させるとともに、ＬＥＤ１０１に制御信号を送信してこれを機能１に関する所定の色（例えば、赤）に点灯させることにより、見守り対象者に機能１の動作が開始されたことを知らせる（７０２）。次に、制御部１０５は、データ送受信部１０６に制御信号を送信して、見守り対象者が出発した旨（スイッチ１０２が押された旨）を示すデータ、周辺基地局に関するデータ（例えば、基地局ＩＤ及び報知チャネルの受信電界強度）、及び移動端末１００の識別データ（例えば、端末のシリアル番号）を含む信号を、ＰＨＳ送受信部１０３を介して基地局に無線送信する（７０３）。ここで、周辺基地局に関するデータとしては、典型的には最新のデータが送信されるが、見守り対象者が学校を出発してから現在までに取得された全てのデータを送信してもよい。また、当該無線送信は、上記の周辺基地局サーチの所定時間間隔（例えば、５分間ごと）で実行してもよいし、無線回線の混雑を避けるために当該所定時間間隔の整数倍の時間間隔（例えば、１０分間ごと）で、その間に取得されたデータをまとめて送信するように実行してもよい。送信された無線信号は近くの基地局において受信され、ＰＨＳ通信網３００を介して、本発明のサービスプロバイダ・システム２００のゲートウェイ・ルータ（ＧＷ−Ｒ）２０６へと送信される。ここで、本発明のサービスプロバイダ２００は、例えば図１に示すように、位置計算サーバ２０１、顧客データベース２０２、位置情報蓄積サーバ２０３、地図データベース２０４、ウェブサーバ２０５、ＧＷ−Ｒ２０６及び２１１、通信制御サーバ２０７、データ解析サーバ２０８、メールサーバ２０９、ＳＭＳサーバ２１０等の種々の構成要素を有しているが、これらの各要素は必ずしも同一地点に配置される必要はなく、ＧＷ−Ｒを介してそれぞれＰＨＳ通信網３００及びインターネット４００に接続されていればよい。
【００２０】
ＧＷ−Ｒ２０６を介して通信制御サーバ２０７により受信されたデータ（見守り対象者が出発した旨（スイッチ１０２が押された旨）を示すデータ、移動端末１００の周辺基地局に関するデータ、上記データを受信した時刻を示す時刻データ、及び移動端末１００の識別データを含む）は、データ解析サーバ２０８に送信される。データ解析サーバ２０８は、受信された信号に含まれるデータのうち、移動端末１００の周辺基地局に関するデータ（基地局識別データ及び電界強度データを含む）、そのデータが受信された時刻を示す時刻データ、及び移動端末１００の識別データを位置計算サーバ２０１に送信する。位置計算サーバ２０１は、送信されたデータに基づいて、当業者には周知の方法に基づき移動端末１００の現在位置の緯度及び経度を算出し、算出された緯度及び経度のデータを地図データベース２０４に送信する。地図データベース２０４は、位置計算サーバ２０１から受信した緯度及び経度のデータを住所に変換してメールサーバ２０９を介して保護者にメールで通知し、また受信した緯度・経度データを地図上にプロットした画面を描画し、ユーザがその画面にアクセスするための所在場所(ＵＲＬなど)を通知する。また、当該緯度及び経度のデータ、時刻データ及び移動端末１００の識別データは位置情報蓄積データベース２０３に送信されて格納される。
【００２１】
一方、データ解析サーバ２０８は、通信制御サーバ２０７から受信したデータのうち、移動端末１００の識別データ（例えば、シリアル番号）を顧客データベース２０２に送信する。顧客データベース２０２は、移動端末１００のシリアル番号及びこれに対応する保護者の所有する端末５００又は６００に関する１つ又は複数のメールアドレスを記憶しており、データ解析サーバから受信した識別データにより識別される移動端末１００に関連づけられた保護者のメールアドレスを選択する。メールサーバ２０９は、位置計算サーバ２０１、位置情報蓄積サーバ２０３、顧客データベース２０２及びデータ解析サーバ２０８から、上記の各データを受信して、子供が出発した旨（スイッチ１０２が押された旨）、出発地の位置情報（例えば、出発地付近の地図情報のＵＲＬ）、出発時刻を含む内容の電子メールを作成し、ＧＷ−Ｒ２１１を介して当該電子メールを保護者の端末５００又は６００に設定されたメールアドレスに送信する（７０４）。当該電子メールを受信した保護者は、電子メールに書き込まれたＵＲＬをクリック等することにより、インターネット４００、ウェブサーバ２０５及び地図データベース２０４を介して、ブラウザ上で、子供の出発位置を地図データとして確認することができる。
【００２２】
サービスプロバイダ・システム２００を構成する各要素間での上述のようなデータのやり取りの手順は、必ずしも上記の具体例には限定されない。子供が出発した旨（スイッチ１０２が押された旨）、出発地の位置情報、及び時刻を含む内容の電子メールを結果的にメールサーバ２０９から送信することができるのであれば、他の手順を用いることも可能である。また、移動端末１００の位置データを、例えば顧客データベース２０２に継続的に順次登録しておき、移動端末１００が従来登録された経路範囲から大きく逸脱したと判断される際には、データ解析サーバ２０８が保護者の端末５００又は６００にその旨の警告メールを発報するような構成とすることも可能である。
【００２３】
上述のように子供の出発を通知する電子メールが保護者のメールアドレスに送信された後も、移動端末１００が所定時間間隔（例えば、５分ごと）で実行する周辺基地局サーチの結果が所定の時間間隔（例えば、５分又は１０分）ごとにサービスプロバイダ・システム２００へ送信される（７０５）。サービスプロバイダ・システム２００においては、上述の出発時の場合と同様にして、位置計算サーバ２０１が受信された周辺基地局に関する識別データ及び対応する電界強度データに基づいて緯度及び経度を計算し、このデータが位置情報蓄積データベース２０３に時刻情報とともに記憶される。移動端末１００から受信されるデータはデータ解析サーバ２０８において順次解析される。データが移動端末１００から受信されている限り、子供が無事であると判断して、特別な動作を行わない。一方、予め定められた時間（例えば、４０分）以上、移動端末１００からのデータ受信が途絶えていること（７０６）をデータ解析サーバ２０８が検知すると、そのことを示す信号がメールサーバ２０９に送信され、メールサーバ２０９は、移動端末１００からの送信が途絶えている旨の電子メールを保護者の端末５００又は６００に関するメールアドレスに送信する（７０７）。この場合において、位置情報蓄積データベース２０３に記憶されている移動端末１００についての最新の緯度及び経度のデータに基づく地図情報を示すＵＲＬを当該電子メール中に書き込んでもよい。また、位置情報蓄積データベース２０３に記憶されている移動端末１００についての出発時以来の位置データに基づいて地図データベースが地図上に当該端末の行動履歴をプロットした情報の所在を示すＵＲＬを当該電子メール中に書き込んでもよい。
【００２４】
上述の通信断メールは、移動端末１００がＰＨＳ通信網のサービス圏外に位置していたり、移動端末１００が壊れたりした場合に送信されることとなるが、移動通信端末１００との通信が再開された場合（７０８）には、同様の手順により、通信が再開された旨、その際の移動端末１００の位置情報、時刻等について保護者のメールアドレス宛に電子メールを送信するようにしてもよい（７０９）。また、上記の構成においては、ＰＨＳ通信網のサービス圏内において移動通信端末の位置が全く変化しない場合には、保護者のアドレス宛には何らの通知もなされず、子供が端末１００を紛失した場合や、子供が端末１００を道端に落としたまま不審者に連れ去られた場合等に対処できない。したがって、移動端末１００からの通信が途絶えていない場合であっても、その位置が所定時間の間全く変化しない場合には、保護者のメールアドレス宛にその旨を通知する電子メールを送信するようにサービスプロバイダ・システム２００を構成することも可能である。また、サービスプロバイダ・システム２００の顧客データベース２０２等において予め子供の通常の行動範囲に関するデータを保持しておき、位置計算サーバ２０１により算出される移動端末１００の現在位置が当該行動範囲外となった場合に、保護者のメールアドレス宛にその旨を通知する電子メールを送信するように構成してもよい。
【００２５】
帰宅中に問題が発生せず、子供が無事に家に到着した場合、子供は移動端末１００のスイッチ１０２を所定の時間（約２秒間）押す。制御部１０５はこれを検出すると、ブザー１０８に制御信号を送信してこれを鳴動させるとともに、ＬＥＤ１０１に制御信号を送信してこれを消灯させ、子供に機能１の動作が終了したことを知らせる（７１２）。さらに、周辺基地局のサーチを行い、それぞれの基地局の識別データ及び電界強度のデータを取得する（７１３）。以後、移動端末１００に対して何らかの操作が行われない限り、移動端末１００は所定時間ごとの周辺基地局サーチを自動的に行わない。次に、制御部１０５は、データ送受信部１０６に制御信号を送信して制御し、見守り対象者が到着した旨（スイッチ１０２が再度押された旨）を示すデータ、周辺基地局に関するデータ、及び移動端末１００の識別データを含む信号を、ＰＨＳ送受信部１０３を介して近隣の基地局へと無線送信し、当該信号は基地局を介してサービスプロバイダ・システムにて受信される（７１４）。ここで、周辺基地局に関するデータとしては、典型的には最新のデータが送信されるが、子供が学校を出発してから家に到着するまでに取得された全てのデータを送信してもよい。
【００２６】
ＧＷ−Ｒ２０６を介して通信制御サーバ２０７により受信されたデータ（見守り対象者が到着した旨（スイッチ１０２が再度押された旨、機能１が終了した旨）を示すデータ、移動端末１００の周辺基地局に関するデータ、それが受信された時刻を示す時刻データ、及び移動端末１００の識別データを含む）は、データ解析サーバ２０８に送信される。以降は、出発時の場合と同様にして、子供が到着した旨、到着地点の位置情報（例えば、地図情報のＵＲＬ）、到着時刻を含む内容の電子メールを作成し、ＧＷ−Ｒ２１１を介して当該電子メールを保護者の端末５００又は６００に関するメールアドレスに送信する（７１５）。システム２００の動作はこれにて終了する。
【００２７】
任意の時点で、保護者が子供の位置及び行動履歴を知りたい場合には、上記機能２を実行する。保護者が自己の端末５００又は６００を使用して、予め機能２用に定められた所定の電子メールアドレス（以下、「位置確認アドレス」と呼ぶ）に電子メール（空の電子メールでもよい）を送信すると（７１０）、当該電子メールはＧＷ−Ｒ２１１を介してメールサーバ２０９により受信される。メールサーバ２０９は、位置確認アドレス宛に送信された電子メールに応答して、移動端末１００の最新の位置情報、行動履歴、それぞれの位置における時刻の情報を保護者の端末５００又は６００に送信する（７１１）ように構成されている。例えば、メールサーバ２０９は、位置情報蓄積データベース２０３及び地図データベース２０４から移動端末１００の現在の位置及び過去の位置をプロットした地図データ又はそのような地図データをウェブ上で見るためのＵＲＬを得て、このようなデータを含む電子メールを保護者のメールアドレス宛に返信する。
【００２８】
上記機能１の動作中であろうとなかろうと、保護者が子供の位置を確認したい場合や、子供と連絡を取りたい場合、子供からの応答を得たい場合には、上記機能３を実行する。機能３に関するシーケンス図を図３に示す。保護者が自己の端末５００又は６００を使用して、予め機能３用に定められた所定の電子メールアドレス（以下、「サーチアドレス」と呼ぶ）に電子メール（空の電子メールでもよい）を送信すると（８０１）、当該電子メールはＧＷ−Ｒ２１１を介してメールサーバ２０９により受信される。メールサーバ２０９は、サーチアドレス宛に送信された電子メールに応答して、移動端末１００宛に電子メール(ＳＭＳサーバ２１０による端末呼出し)を送信し、子供からの応答確認後に移動端末１００の最新の位置情報を保護者のアドレス宛に電子メールで通知するように構成されている。例えば、メールサーバ２０９は、ＳＭＳサーバ２１０を動作させて、保護者が子供を捜していることを示すデータを含む電子メールを移動端末１００宛に送信する（８０２）。当該電子メールが移動端末１００により受信されると、制御部１０５はブザー１０８に制御信号を送信して、機能３に対応する態様でこれを鳴動させるとともに、ＬＥＤ１０１に制御信号を送信して、本機能３に対応する所定の色（例えば、緑）に点灯又は点滅させる（８０３）。これにより、移動端末１００を携帯している子供は保護者が自分を捜していることを知ることができる。また、制御部１０５は周辺基地局のサーチを実行して、複数の基地局から基地局識別データ及び電界強度データを得る（８０４）。子供がスイッチ１０２を所定の時間（例えば、２秒間）押すと、制御部１０５がこれを検知してＬＥＤ１０１に制御信号を送信してこれを消灯させる（８０５）。ブザー１０８は制御部１０５からの制御信号により停止されるか、又は所定の時間後に自動的に停止する（８０５）。さらに、制御部１０５はスイッチ１０２が押されたこと（子供が応答したこと）を示すデータ、周辺基地局に関するデータ、及び移動端末１００の識別データを含む信号をデータ送受信部１０６に送り、当該データはＰＨＳ送受信部１０３を介して無線伝送される（８０６）。当該データはサービスプロバイダ・システム２００において受信され（８０６）、データ解析サーバにより解析される。以下、機能１の場合と同様にして、子供が応答した旨（スイッチ１０２が押された旨）、現在の位置情報、現在時刻情報等を含む電子メールが保護者のメールアドレス宛に返信される（８０７）。当該返信メールは、移動端末１００の現在の位置についての地図データ又はそのような地図データをウェブ上で見るためのＵＲＬを含んでもよい。
【００２９】
移動端末１００が個人認証機能を有していれば、本発明のシステムの機能はさらに強固なものとなる。例えば、移動端末１００が使用者である子供の指紋データを記憶する記憶手段１０９（図示せず）を有しており、スイッチ１０２が指紋を検出する機能を有していれば、検出された指紋と記憶されている指紋とを照合して、スイッチ１０２を押したのが子供自身であるのか、不審者を含む第三者であるのかが分かる。本発明の移動通信システムの上記各機能の動作において、このような個人認証の結果についてもサービスプロバイダ・システムに通知するように構成することにより、セキュリティ面がより強化されたシステムを構築することが出来る。
【００３０】
また、上述の機能１と機能３とにおいては、異なるブザー音および異なる点灯色を使用する必要があるが、これに加えて、例えば機能３の動作の際のブザー音や点灯色を複数用意すれば、より柔軟なサービスを提供できる。例えば、細切れの短いブザー音と長音のブザー音とを用意しておけば、子供と保護者との間で、前者のブザー音が鳴ったらスイッチ１０２を押した後に家に電話し、後者なら単にスイッチ１０２を押すだけでよい、といったように予め取り決めをしておくことができる。
【００３１】
最後に、子供が不審者に襲われそうになった場合などの緊急事態においては、上記機能４を実行することができる。機能４に関するシーケンス図を図４に示す。このような緊急事態において、子供がスイッチ１０７を作動させると、制御部１０５がこれを検知してブザー１０８に制御信号を送信してこれを鳴動させる（９０１）。この際のブザー音は警報の役割を果たすため、他の機能の場合よりも遥かに大きな音とすることが望ましい。また、スイッチ１０７は、押すことにより作動するものに限られず、例えば引っ張ることにより作動するものであってもよい。スイッチ１０７はあくまで緊急時に使用するものであるため、通常使用時の誤動作を防ぐ観点からもこのような形式は有用である。子供が引っ張りやすくするため、スイッチ１０７にストラップを付けてもよい。機能４におけるブザー音は緊急用の警報であるので、スイッチ１０７がひとたび作動した後は鳴動し続けることが望ましい。但し、誤動作させてしまった場合を考慮して、一定時間内（例えば、５秒以内）にスイッチ１０７が元に戻された場合にはブザーが停止するように構成してもよい。
【００３２】
また、スイッチ１０７が作動すると、制御部１０５は、周辺基地局のサーチを行って基地局識別データ及び電界強度データを取得し（９０２）、データ送受信部１０６に対し、緊急通報が発せられた旨（スイッチ１０７が作動した旨）を示すデータ、取得した周辺基地局のデータ、及び移動端末１００の識別データ（例えば、端末のシリアル番号）を含む信号を、ＰＨＳ送受信部１０３を介して無線送信する（９０３）。ここで、周辺基地局に関するデータとしては、典型的には最新のデータが送信されるが、見守り対象者が学校を出発してからスイッチ１０７を作動させるまでに取得された全てのデータをそれぞれのデータの取得時刻とともに送信してもよい。送信された無線信号は近隣の基地局において受信され、ＰＨＳ通信網３００を介して、本発明のサービスプロバイダ・システム２００にて受信される。以降は、他の機能の場合と同様にして、緊急通報が発せられた旨、移動端末１００の位置情報（例えば、地図情報に関するＵＲＬ）、時刻情報を含む内容の電子メールを作成し、当該電子メールを保護者の端末５００又は６００に関するメールアドレスに送信する（９０４）。当該電子メールの送信は、保護者からの解除メールの返信がなされない限り、所定時間間隔（例えば、１０分間隔）で繰り返される。当該電子メールを受信した保護者は、何らかの方法で子供の安全が確認された後、予め定められたアドレス（以下、「緊急通報解除アドレス」と呼ぶ）に電子メール（空の電子メールでもよい）を返信する（９０５）。
【００３３】
緊急通報解除アドレス宛に送信された電子メールを受信したメールサーバ２０９は、保護者のメールアドレスへの所定時間間隔で繰り返される緊急通報メールの自動送信を停止する。
【００３４】
一方、スイッチ１０７が作動された後、一定時間（例えば、５秒）内に戻された場合には、その旨を示すデータがサービスプロバイダ・システム２００に送信され、その旨の電子メールが保護者のアドレス宛に送信されるが、当該電子メールの送信は一度のみでもよい。また、緊急通報が発せられたことがサービスプロバイダ・システム２００に通知されると、それ以後は、移動端末１００からの通信が途絶えても途絶えなくても、保護者からの解除メールの送信があるまでの間、保護者のアドレス宛に緊急通報メールが送信され続ける。
【００３５】
本発明の移動通信システムを構成するサービスプロバイダ・システム２００は、ウェブサーバ２０５を有しており、保護者は、自己の所有する端末５００又は６００から当該ウェブサーバ２０５にアクセスして、登録済みの情報を変更したり、地図データを見たりすることが可能である。
【００３６】
また、本発明のシステムにおいて見守り対象者が携帯する移動端末１００は、例えば図５に示す形状をもつ。このように目立ち易い形状・大きさとすることにより、犯罪の抑止効を有することが期待される。また、本発明の移動端末１００の構成は極めて簡易であるので、子供でも十分に操作でき、本発明の移動通信システムの機能を利用することが可能である。
【００３７】
さらに、上述の説明における各種の所定時間は、例示された値に限定されることはなく、また、必要に応じてシステムの設定値を変えることにより容易に変更できることは当業者にとって明らかであろう。
【００３８】
以上のように、本発明の見守り機能を有する移動通信システムは、見守り対象者が出発地から目的地まで無事に辿り着いたことを保護者に自動的に通知することができる。また、保護者は、必要に応じて見守り対象者の現在位置や過去の行動履歴を知ることができる。さらに、見守り対象者が緊急事態に巻き込まれた場合においても、そのことを保護者に自動的に迅速に通知することができる。
【００３９】
以上、図面を参照して本発明の実施形態について詳述してきたが、具体的な構成はこれらの実施の形態に限られるものではなく、この発明の要旨を逸脱しない範囲の設計変更等も含まれる。例えば、本明細書において、各実施例の主要システム部分はＰＨＳデータ通信システムとして説明されているが、本発明は、移動端末１００として簡易な構成の携帯電話機やＰＤＡを使用するシステムなど、他の様々な通信システムに対しても適用可能である。
【図面の簡単な説明】
【００４０】
【図１】本発明の見守り機能を有する移動通信システムの構成の一実施例の図である。
【図２】機能１及び機能２に関するシーケンス図である。
【図３】機能３に関するシーケンス図である。
【図４】機能４に関するシーケンス図である。
【図５】本発明の移動端末１００の外観図である。
【図１】
0004769101.tif 000002
【図２】
0004769101.tif 000003
【図３】
0004769101.tif 000004
【図４】
0004769101.tif 000005
【図５】
0004769101.tif 000006